(57)【要約】【課題】カーラー枠を迅速に加熱でき、しかも伝熱体や髪巻体をカーラー枠に対して確りと固定して、長期使用時にも好適に使用できるヘアカーラーを提供する。【解決手段】プラスチック成形品からなる筒構造のカーラー枠１の周面に、多数の通気窓５を備えた金属シート製の伝熱体２を巻き付け、伝熱体２の外面にプラスチック製の髪巻体３を巻き付ける。伝熱体２は連結穴２１を備えており、連結穴２１をカーラー枠１の周面に設けた連結突起８に係合した状態で、カーラー枠１に巻き付ける。髪巻体３の巻き始終３ａおよび巻き終端３ｂを内外に重ねた状態で連結突起８に溶着する。連結突起８の突出寸法は、伝熱体２のシート厚み寸法より大きく設定し、伝熱体２の外面に突出する連結突起８の突端部を押し潰して、伝熱体２を髪巻体３と共にカーラー枠１に固定する。【選択図】図１
2010284230.tif 000002
【特許請求の範囲】
【請求項１】
プラスチック成形品からなる筒構造のカーラー枠（１）の周面に、金属シート製の伝熱体（２）が巻き付けられ、伝熱体（２）の外面に髪巻体（３）が巻き付けてあるヘアカーラーであって、
伝熱体（２）は、その一部に設けた連結穴（２１）がカーラー枠（１）に設けた連結突起（８）に係合する状態で、カーラー枠（１）に巻き付けられており、
髪巻体（３）の巻き始端（３ａ）および巻き終端（３ｂ）を内外に重ねた状態で連結突起（８）に溶着して、伝熱体（２）および髪巻体（３）がカーラー枠（１）に対して相対移動不能に固定してあるヘアカーラー。
【請求項２】
髪巻体（３）を溶着する際の溶着熱で連結突起（８）を変形させて、連結突起（８）が伝熱体（２）の連結穴（２１）に密着させてある請求項１に記載のヘアカーラー。
【請求項３】
連結突起（８）の突出寸法が、伝熱体（２）のシート厚み寸法より大きく設定されており、
伝熱体（２）の連結穴（２１）を連結突起（８）に係合した状態において、伝熱体（２）の外面に突出する連結突起（８）の突端部を押し潰して伝熱体（２）がカーラー枠（１）に固定してある請求項１または２に記載のヘアカーラー。
【請求項４】
伝熱体（２）の連結穴（２１）の少なくとも一部に食込体（８４）が設けられており、
連結穴（２１）を連結突起（８）に係合した状態において、食込体（８４）を連結突起（８）の周面に食い込ませて、伝熱体（２）がカーラー枠（１）に仮組み固定してある請求項１、２または３に記載のヘアカーラー。
【請求項５】
連結穴（２１）の巻き始端（３ａ）側の内面に食込体（８４）が設けられており、
連結穴（２１）を連結突起（８）に係合した状態における、食込体（８４）の連結突起（８）に対する食い込み方向が、伝熱体（２）の巻き付け方向と一致させてある請求項４に記載のヘアカーラー。
【請求項６】
髪巻体（３）が、基布部（２４）とフック片（２５）とを備えたフック型ファスナーで構成されており、
連結突起（８）の突端部に尖鋭突起（８０）が設けられており、
前記基布部（２４）の巻き始端（３ａ）を尖鋭突起（８０）に掛止した状態で、髪巻体（３）が伝熱体（２）の外面に巻き付けてある請求項１から５のいずれかに記載のヘアカーラー。
【請求項７】
髪巻体（３）が、基布部（２４）とフック片（２５）とを備えたフック型ファスナーで構成されており、
髪巻体（３）の巻き始端（３ａ）をカーラー枠（１）の外面と伝熱体（２）の巻き終端（２ｂ）との間に挟み込んだ状態で、髪巻体（３）が伝熱体（２）の外面に巻き付けてある請求項１から５のいずれかに記載のヘアカーラー。
【請求項８】
カーラー枠（１）の外面と伝熱体（２）の巻き終端（３ｂ）との少なくともいずれか一方に、基布部（２４）を掛止する突刺体（８２）が形成されており、
基布部（２４）の巻き始端（３ａ）を突刺体（８２）に掛止し、同時に、前記巻き始端（３ａ）をカーラー枠（１）の外面と伝熱体（２）の巻き終端（２ｂ）との間に挟み込んだ状態で、髪巻体（３）が伝熱体（２）の外面に巻き付けてある請求項７に記載のヘアカーラー。
【請求項９】
カーラー枠（１）の両筒端の周面に、伝熱体（２）および髪巻体（３）の筒軸方向の移動を規制する規制リブ（９）が突設してある請求項１から８のいずれかに記載のヘアカーラー。
【請求項１０】
カーラー枠（１）と伝熱体（２）との間に感温変色体（４）が配置されており、
感温変色体（４）に臨む伝熱体（２）のシート面に、視認窓（２２）が形成してある開口してある請求項１から９のいずれかに記載のヘアカーラー。
【請求項１１】
カーラー枠（１）の両端に温風入口（１３）と温風出口（１４）とが開口されており、
カーラー枠（１）の温風出口（１４）寄りの内面に、温風の吹き抜けを規制する規制壁（１６）が形成されており、
前記規制壁（１６）とカーラー枠（１）の筒壁との間に、温風の通過を許す出口開口（１７）が形成してある請求項１から１０のいずれかに記載のヘアカーラー。
【請求項１２】
カーラー枠（１）の筒内面に、表面積を増加する一群のリブ状突起（１５）が突設してある請求項１から１１のいずれかに記載のヘアカーラー。
【発明の詳細な説明】
【技術分野】
【０００１】
本発明は、筒状のカーラー枠の周面にシート状の伝熱体と髪巻体とが設けてあるヘアカーラーに関する。
【背景技術】
【０００２】
この種のヘアカーラーは特許文献１に公知である。そこでは、格子筒状に成型されたカーラー枠の周面に、多数の通気穴が形成されたアルミニウムシート製の伝熱体を巻き付けている。また、面ファスナーを構成するフック型ファスナーで髪巻体を構成して、これを伝熱体の外面に巻き付けている。このように、カーラー枠の周面に伝熱体を巻装したヘアカーラーによれば、カーラー枠の内面に供給される温風の加熱作用と、伝熱体の熱伝導作用とでカーラー枠を迅速に加熱して、加熱に要する時間を短縮できる。
【０００３】
上記のカーラー枠の外面には、両筒端の間に直線状の溶着リブが設けてあり、このリブの両側面で伝熱体の巻き始端および巻き終端を受け止めて、伝熱体が周方向へ遊動するのを規制している。また、髪巻体の巻き始終および巻き終端を溶着リブの外面で重ね、内外に重なるシート端を溶着リブに溶着して、伝熱体および髪巻体をカーラー枠に固定している。
【０００４】
本発明のヘアカーラーは、例えばヘアセッターを利用して加熱するが、この種のカーラーおよびヘアセッターは特許文献２にみることができる。そこでは、セッター本体の一側に棒状の吹出筒が固定してあり、吹出筒にカーラーを装着した状態で、その周面に巻き付けた髪を温風で加熱しながらくせ付けを行なう。また、適度に加熱されたヘアカーラーを吹出筒から取り外して髪を巻き付け、ヘアーピンで髪に固定した状態でくせ付けを行なう。同様にして、別のヘアカーラーに髪を巻き付けてくせ付けを行なうことにより、頭髪の複数箇所をカール処理することができる。
【先行技術文献】
【特許文献】
【０００５】
【特許文献１】特開２００７−１０５１４４号公報（段落番号００５０、図２）
【特許文献２】特開平１０−０４２９３２号公報（段落番号００２５〜００２７、図７）
【発明の概要】
【発明が解決しようとする課題】
【０００６】
特許文献１のヘアカーラーによれば、伝熱体の巻き始端および巻き終端をカーラー枠の外面に設けたリブの両側面で受け止めるので、髪をヘアカーラーに巻き付ける際に、伝熱体が周方向へ動くのを規制できる。しかし、溶着リブに溶着した髪巻体で伝熱体の巻き付け姿勢を保持しているだけであるため、伝熱体が溶着リブに沿って筒軸方向へ移動し、カーラー枠から分離するおそれがある。あるいは、伝熱体が溶着リブに沿ってスライドして髪巻体と擦れあい、長期使用時に髪巻体が破損するおそれがある。
【０００７】
本発明の目的は、カーラー枠を迅速に加熱でき、しかも伝熱体や髪巻体をカーラー枠に対して確りと固定して、長期使用時にも使用開始時と同様に好適に使用できるヘアカーラーを提供することにある。
【課題を解決するための手段】
【０００８】
本発明に係るヘアカーラーは、プラスチック成形品からなる筒構造のカーラー枠１の周面に、金属シート製の伝熱体２を巻き付け、さらに、伝熱体２の外面に髪巻体３を巻き付ける。伝熱体２は、その一部に設けた連結穴２１がカーラー枠１に設けた連結突起８に係合する状態で、カーラー枠１に巻き付ける。髪巻体３の巻き始端３ａおよび巻き終端３ｂを内外に重ねた状態で連結突起８に溶着して、伝熱体２および髪巻体３をカーラー枠１に対して相対移動不能に固定する。本発明における連結穴２１とは、丸穴や角穴に代表される各種形状の穴と、長穴、溝、切欠などを含むこととする。
【０００９】
髪巻体３を溶着する際の溶着熱で連結突起８を変形させて、連結突起８を伝熱体２の連結穴２１に密着させる。
【００１０】
連結突起８の突出寸法を、伝熱体２のシート厚み寸法より大きく設定する。伝熱体２の連結穴２１を連結突起８に係合した状態において、伝熱体２の外面に突出する連結突起８の突端部を押し潰して伝熱体２をカーラー枠１に固定する。
【００１１】
伝熱体２の連結穴２１の少なくとも一部に食込体８４を設ける。連結穴２１を連結突起８に係合した状態において、食込体８４を連結突起８の周面に食い込ませて、伝熱体２をカーラー枠１に仮組み固定する。
【００１２】
連結穴２１の巻き始端３ａ側の内面に食込体８４を設ける。連結穴２１を連結突起８に係合した状態における、食込体８４の連結突起８に対する食い込み方向を、伝熱体２の巻き付け方向と一致させる。
【００１３】
髪巻体３は、基布部２４とフック片２５とを備えたフック型ファスナーで構成する。図１２に示すように連結突起８の突端部に尖鋭突起８０を設ける。基布部２４の巻き始端３ａを尖鋭突起８０に掛止した状態で、髪巻体３を伝熱体２の外面に巻き付ける。
【００１４】
髪巻体３は、基布部２４とフック片２５とを備えたフック型ファスナーで構成する。髪巻体３の巻き始端３ａをカーラー枠１の外面と伝熱体２の巻き終端２ｂとの間に挟み込んだ状態で、髪巻体３を伝熱体２の外面に巻き付ける（図１３参照）。
【００１５】
カーラー枠１の外面と伝熱体２の巻き終端３ｂとの少なくともいずれか一方に、基布部２４を掛止する突刺体８２を形成する（図１４参照）。基布部２４の巻き始端３ａを突刺体８２に掛止し、同時に、巻き始端３ａをカーラー枠１の外面と伝熱体２の巻き終端２ｂとの間に挟み込んだ状態で、髪巻体３を伝熱体２の外面に巻き付ける（図１４参照）。
【００１６】
図２に示すように、カーラー枠１の両筒端の周面に、伝熱体２および髪巻体３の筒軸方向の移動を規制する規制リブ９を突設する。
【００１７】
カーラー枠１と伝熱体２との間に感温変色体４を配置する。感温変色体４に臨む伝熱体２のシート面に視認窓２２を形成する（図５参照）。
【００１８】
カーラー枠１の両端に温風入口１３と温風出口１４とを開口する。カーラー枠１の温風出口１４寄りの内面に、温風の吹き抜けを規制する規制壁１６を形成する。規制壁１６とカーラー枠１の筒壁との間に、温風の通過を許す出口開口１７を形成する。
【００１９】
カーラー枠１の筒内面に、表面積を増加する一群のリブ状突起１５を突設する（図３参照）。
【発明の効果】
【００２０】
本発明のヘアカーラーにおいては、連結穴２１をカーラー枠１の連結突起８に係合した状態で、伝熱体２をカーラー枠１に巻き付けるようにした。また、髪巻体３の巻き始端３ａおよび巻き終端３ｂを内外に重ねた状態で連結突起８に溶着することにより、伝熱体２および髪巻体３をカーラー枠１に固定するようにした。したがって、本発明のヘアカーラーによれば、伝熱体２や髪巻体３をカーラー枠１に対して確りと固定して、溶着後に伝熱体２が遊動するのを確実に防止でき、長期使用時にも使用開始時と同様に好適に使用できるヘアカーラーが得られる。また、連結穴２１をカーラー枠１の連結突起８に係合した状態で、伝熱体２をカーラー枠１に巻き付けるので、伝熱体２のカーラー枠１に対する組み付け作業をより簡便に、しかも伝熱体２をカーラー枠１に対して常に位置決めした状態で正確に行なうことができる。
【００２１】
髪巻体３を溶着する際の溶着熱で連結突起８を変形させて、連結突起８を伝熱体２の連結穴２１に密着させると、連結突起８と連結穴２１との間に隙間が残るのを解消して、溶着後の伝熱体２がカーラー枠１に対してがたつくのを確実に防止できる。
【００２２】
連結穴２１を連結突起８に係合した状態において、伝熱体２の外面に突出する連結突起８の突端部を押し潰して伝熱体２をカーラー枠１に固定すると、伝熱体２の外面に巻き付けられる髪巻体３による保持作用に加えて、溶着後の溶着塊２７によっても伝熱体２が連結突起８から抜け出ようとするのを防止して、全体としてヘアカーラーの耐久性を向上できる。連結突起８の突出寸法を伝熱体２のシート厚み寸法より大きく設定するので、伝熱体２をカーラー枠１に巻き付ける際に、連結穴２１が連結突起８から抜け出るのを防止して、伝熱体２の巻き付け作業を的確に行なえる。
【００２３】
連結穴２１に設けた食込体８４を連結突起８の周面に食い込ませた状態で、伝熱体２をカーラー枠１に仮組みすると、仮組みした状態の伝熱体２が、カーラー枠１の周方向や筒軸方向へ遊動するのを規制できる。したがって、伝熱体２の巻き付け作業をより簡便に行なって、伝熱体２の組み付け性を向上できる。
【００２４】
食込体８４の連結突起８に対する食い込み方向を伝熱体２の巻き付け方向と一致させると、連結穴２１を連結突起８に係合したのち、伝熱体２をカーラー枠１に対して巻き締め方向へ引っ張るだけで、食込体８４を連結突起８に食い込ませることができる。したがって、伝熱体２のカーラー枠１に対する一連の組み付け作業を、より少ない手間で速やかに行なうことができる。また、組み付け後の伝熱体２が、カーラー枠１の筒軸方向へ移動するのを規制して適正な組み付け姿勢に保持できる。
【００２５】
連結突起８の突端部に尖鋭突起８０を設け、フック型ファスナーで構成した髪巻体３の巻き始端３ａを尖鋭突起８０に掛止し、その状態で髪巻体３を伝熱体２の外面に巻き付けるようにすると、髪巻体３の巻き始端３ａがずれ動くのを尖鋭突起８０で規制できる。したがって、髪巻体３の巻き付け作業を確実に、しかもより少ない手間で行なえる。また、伝熱体２および髪巻体３をカーラー枠１に対して順次巻き締めることにより、伝熱体２と髪巻体３をカーラー枠１および伝熱体２に密着させて、緩む余地のない状態でカーラー枠１に固定できる。さらに、髪巻体３が溶着される連結突起８の突端部に尖鋭突起８０を設けるので、指先を傷付けるおそれのある尖鋭突起８０を、髪巻体３を溶着する過程で押し潰して除去でき、得られたヘアカーラーの安全性を確保できる。
【００２６】
カーラー枠１の外面と伝熱体２の巻き終端２ｂとの間に巻き始端３ａを挟み込んだ状態で髪巻体３を巻き付けると、巻き始端３ａがずれ動くのを伝熱体２で規制して、髪巻体３を伝熱体２の外面に的確に巻き付けることができる。また、伝熱体２および髪巻体３をカーラー枠１に対して順次巻き締めることにより、伝熱体２と髪巻体３をカーラー枠１および伝熱体２に密着させて、緩む余地のない状態でカーラー枠１に固定できる。
【００２７】
上記の巻き付け構造に加えて、カーラー枠１あるいは伝熱体２に設けた突刺体８２に巻き始端３ａを掛止して、髪巻体３を伝熱体２の外面に巻き付けると、髪巻体３を巻き込む際に巻き始端３ａがずれ動くのを防止しながら、髪巻体３を伝熱体２の外面に的確に巻き付けることができる。さらに、髪巻体３を巻き締め操作するのと同時に伝熱体２を巻き締めて、髪巻体３および伝熱体２をカーラー枠１に対して、緩みのない状態で適正に巻き付けることができる。
【００２８】
カーラー枠１の両筒端の周面に規制リブ９が突設してあるヘアカーラーによれば、伝熱体２および髪巻体３が筒軸方向へ移動するのを規制リブ９で規制して、伝熱体２および髪巻体３を常に適正な組み付け姿勢に保持できる。また、カーラー枠１に巻き付けた伝熱体２および髪巻体３の両端を規制リブ９で保護して、伝熱体２や髪巻体３が他物に当って傷むのをよく防止できる。
【００２９】
カーラー枠１と伝熱体２との間に感温変色体４を配置し、伝熱体２のシート面に視認窓２２を形成したヘアカーラーによれば、視認窓２２を介して感温変色体４の呈色状態を確認することにより、ヘアカーラーが適温まで加熱されたか否かを目視によって容易に確認できる。また、温風で加熱された伝熱体２の熱を、視認窓２２以外の壁を介して感温変色体４に伝導して、感温変色体４の呈色状態を遅滞なく変化させることができる。さらに、カーラー枠１と伝熱体２との間に感温変色体４を配置するので、感温変色体４が脱落し、あるいは剥離するのを確実に防止できる。
【００３０】
カーラー枠１の温風出口１４寄りの内面に、温風の吹き抜けを規制する規制壁１６を形成すると、ヘアセッターから送給される温風を規制壁１６でせき止めて、カーラー枠１の内部で循環させることにより、ヘアカーラーをより短い時間で効果的に加熱できる。また、規制壁１６とカーラー枠１の筒壁との間に温風の通過を許す出口開口１７を形成するので、温風の一部を温風出口１４側へ排出して、ヘアカーラーＣを筒軸方向へまんべんなく加熱できる。さらに、頭髪に固定した状態のヘアカーラーの再加熱を行なう場合に、セッター本体３１から吹き出し供給される温風を規制壁１６でせき止めて循環させることにより、ヘアカーラーを効果的に再加熱できる。
【００３１】
カーラー枠１の筒内面に一群のリブ状突起１５を突設すると、リブ状突起１５の分だけカーラー枠１の内面の表面積を増加して、温風とカーラー枠１の接触機会を増やすことができる。したがって、ヘアカーラーの加熱に要する時間を短縮して、効果的にしかも無駄なエネルギー消費を抑えながらヘアカーラーを加熱できる。
【図面の簡単な説明】
【００３２】
【図１】実施例１に係るヘアカーラーの分解斜視図である。
【図２】カーラー枠と伝熱体を分離した状態の正面図である。
【図３】ヘアカーラーの組み付け手順を示す断面図である。
【図４】髪巻体を溶着した状態の断面図である。
【図５】カーラー枠の筒壁周辺の断面図である。
【図６】実施例２に係るヘアカーラーの分解斜視図である。
【図７】カーラー枠と伝熱体を分離した状態の正面図である。
【図８】伝熱体の連結構造を示す要部のみの正面図である。
【図９】ヘアカーラーの組み付け手順を示す断面図である。
【図１０】感温変色シートの視認構造を示す断面図である。
【図１１】装着ボスの構造を示す断面図である。
【図１２】溶着部構造の別の実施例を示す断面図である。
【図１３】髪巻体の巻付構造の別の実施例を示す断面図である。
【図１４】図１３における髪巻体の固定状態を示す断面図である。
【図１５】（ａ）から（ｄ）は、それぞれ伝熱体の連結突起に対する係合構造の別の実施例を示す正面図である。
【図１６】伝熱体の巻付構造の別の実施例を示す正面図である。
【図１７】伝熱体の巻付構造のさらに別の実施例を示す正面図である。
【図１８】伝熱体の巻付構造のさらに別の実施例を示す正面図である。
【図１９】伝熱体の巻付構造のさらに別の実施例を示す正面図である。
【図２０】伝熱体の巻付構造のさらに別の実施例を示す正面図である。
【図２１】伝熱体の巻付構造のさらに別の実施例を示す平面図である。
【図２２】伝熱体の巻付構造のさらに別の実施例を示す平面図である。
【図２３】伝熱体の巻付構造のさらに別の実施例を示す平面図である。
【図２４】ヘアセッターの側面図である。
【図２５】カールユニットおよびヘアカーラーを分離した状態の正面図である。
【図２６】押えアームを開いた状態のカールユニットの正面図である。
【図２７】ヘアカーラーを装着した状態のヘアセッターの縦断正面図である。
【図２８】ヘアカーラーとカール軸体の連結構造を示す分解断面図である。
【図２９】図２７におけるＡ−Ａ線断面図である。
【図３０】図２７におけるＢ−Ｂ線断面図である。
【図３１】ヘアセッターの使用例を示す説明図である。
【図３２】ヘアカーラーおよびヘアセッターの使用例を示す説明図である。
【図３３】ヘアセッターを支持するスタンドの断面図である。
【図３４】スタンドの分解斜視図である。
【図３５】ヘアセッターを支持した状態のスタンドの正面図である。
【発明を実施するための形態】
【実施例】
【００３３】
（実施例１）  図１ないし図５は本発明に係るヘアカーラーの実施例１を示す。図１および図３においてヘアカーラーＣは、両端が開口するカーラー枠１と、カーラー枠１の外周面に巻き付けられる伝熱体２と、伝熱体２の外面に巻き付けられる髪巻体３と、カーラー枠１の加熱状態を表示する帯状の感温変色シート（感温変色体）４などで構成する。伝熱体２および髪巻体３は、それぞれカーラー枠１の外周面に沿って筒軸まわりに巻き付けられる。
【００３４】
カーラー枠１は、円筒周面の全体にわたって四角形状の通気窓５の一群を開口した、格子筒状のプラスチック成形品からなり、髪巻体３を保形し、さらに伝熱体２と協同してくせ付け用の熱を蓄熱する。カーラー枠１の周面には、伝熱体２の一端を係合するための連結突起８が、筒軸心と平行になる状態で、一定間隔おきに直線列状に形成してある。連結突起８は筒軸心方向に長い突起からなり、その両端は丸めてある。連結突起８の突出寸法は、伝熱体３のシート厚み寸法より僅かに大きく設定してある。カーラー枠１の周面の両端には、伝熱体２および髪巻体３の筒軸方向の移動を規制する規制リブ９が周回状に突設してある。また、カーラー枠１の筒軸方向の周面中央には感温変色シート４を装着するための装着溝（装着凹部）１０が周回状に凹み形成してある。規制リブ９の格子筒周面からの突出寸法は、伝熱体２の厚み寸法と同じか、それより僅かに大きく設定してある。
【００３５】
カーラー枠１は、図２７に示すようにヘアセッターに装着した状態で、その一端の温風入口１３から他端の温風出口１４へ向かって温風を送給しながら加熱する。カーラー枠１を迅速に加熱するために、カーラー枠１の筒内面に１２個のリブ状突起１５を放射状に突設して、カーラー枠１の内面の表面積を増加している。リブ状突起１５は、筒軸心に沿う状態で温風入口１３から温風出口１４にわたって形成してある。放射状に隣接する各リブ状突起１５は、温風出口１４寄りに設けたリング状の規制壁１６を介して繋がっている。
【００３６】
規制壁１６を設けることによって、カーラー枠１の内部に送給された温風を規制壁１６でせき止めて通気窓５の側から排出できる。また、カーラー枠１の内部に送給された温風の一部は、規制壁１６とカーラー枠１の筒枠との間に形成した扇型の出口開口１７（図２９参照）を介して温風出口１４へ送給される。規制壁１６の中央には、後述するロック筒６１に外嵌する筒状の装着ボス１８が一体に形成してある。このように、装着ボス１８および規制壁１６をリブ状突起１５と一体に形成することにより、中空のカーラー枠１の構造強度を増強して耐久性を向上できる。
【００３７】
伝熱体２は、カーラー枠１に比べて熱伝導性に優れたアルミニウムシートあるいはステンレスシートを素材とするプレス成形品からなり、シート面には丸穴からなる通気穴２０の一群が形成してある。これらの通気穴２０とは別に、連結突起８に係合する長穴状の連結穴２１と、感温変色シート４の呈色状態を視認するための四角形の視認窓２２とが、それぞれシート面に一定間隔おきに形成してある。
【００３８】
図１に示すように連結穴２１は、伝熱体２の巻き始端２ａに沿って直線列状に形成してあり、視認窓２２の列は、シート面の中央に沿って連結穴列と直交する状態で形成してある。隣接する視認窓２２の間の壁面は、温風で加熱された伝熱体２の熱を感温変色シート４に伝導する伝熱壁２３として機能する。符号２ｂは伝熱体２の巻き終端である。伝熱体２は、カーラー枠１の内外に送給された温風と接触して加熱され、同時にカーラー枠１を外面側から加熱する。
【００３９】
一般的な面ファスナーは、片面にループ片の一群を備えたループ型ファスナーと、片面にフック片の一群を備えたフック型ファスナーとで構成するが、この実施例では、髪が絡み付きやすいフック型ファスナーを利用して髪巻体３とする。図３０に示すように髪巻体３は、通気自在な基布部２４と、基布部２４の外面に突設される一群の逆Ｊ字状のフック片２５とを備えており、基布部２４を伝熱体２の外面に巻き付けた状態で、カーラー枠１に設けた連結突起８を利用して溶着固定する。
【００４０】
感温変色シート４は、マイクロカプセル化された感温変色色素を含むテープ状のプラスチックシートからなり、カーラー枠１および伝熱体２から伝導される熱によって呈色状態が可逆的に変化する。例えば、常温での呈色状態は紫色であるが、感温変色シート４の表面温度が５０度を越えるときの呈色状態はピンク色に変化する。また、感温変色シート４の表面温度が常温にまで低下すると再び紫色に復帰する。感温変色シート４の装着面には粘着材層が形成してある。図５に示すように、感温変色シート４の内外面は、装着溝１０と伝熱シート２とに挟まれているので、カーラー枠１および伝熱シート２の伝導熱で加熱されて呈色状態が変化する。また、感温変色シート４が脱落し、あるいは剥離するのを確実に防止できる。
【００４１】
ヘアカーラーＣは以下の要領で組み立てる。まず、カーラー枠１の装着溝１０に沿って、感温変色シート４を貼り付け固定する。次に、図３に示すように、伝熱体２の巻き始端２ａに設けた連結穴２１をカーラー枠１の連結突起８に係合し、巻き始端２ａを固定した状態で伝熱体２の全体をカーラー枠１の周面に巻き付ける。さらに、伝熱体２の巻き終端２ｂを押さえ付けた状態で、その外面に髪巻体３の巻き始端３ａを被せ付けて、髪巻体３の全体を伝熱体２の周面に巻き付ける。このとき、髪巻体３の巻き始端３ａと巻き終端３ｂとを、連結突起８の外面において内外に重ねる。その状態で、溶着ホーンＴの突起２６を髪巻体３の巻き終端３ｂの外方に押し付けて、内外に重なる両基布部２４と連結突起８とを同時に溶着する。
【００４２】
図３に示すように、溶着ホーンＴのその下面には円錐状の突起２６が設けてある。そのため、連結突起８は突起２６で溶融されながら拡大変形して、その周面が伝熱体２の連結穴２１に密着する。さらに、突起２６の突出基端に連続する平坦面によって、基布部２４と連結突起８の溶融部分が押し広げられて、互いに溶け込んで一体化する。したがって、溶着後の伝熱体２をカーラー枠１に対して、がた付きのない状態で固定でき、同時に髪巻体３をカーラー枠１に固定することができる。図４において溶着後に固化した溶着塊を符号２７で示しており、その外面は円錐形状に凹んでいる。なお、組み立てが完了した状態における伝熱体２の巻き始端２ａと巻き終端２ｂとは、それぞれの端縁どうしが隣接する状態になっている。また、溶着ホーンＴを筒軸方向に長いリブ状に形成しておき、その下面に各連結突起８に対応する円錐状の突起２６の一群を設けておけば、全ての連結突起８を同時に溶着処理できる。
【００４３】
溶着過程を経て得られたヘアカーラーＣは、伝熱体２のシート面に形成した通気穴２０や視認窓２２を髪巻体３の基布部２４を透かして視認することができる。また、装着溝１０に固定した感温変色シート４の呈色状態を、基布部２４を透かした状態で視認窓２２から視認することができる。
【００４４】
（実施例２）  図６ないし図１１は、本発明に係るヘアカーラーの実施例２を示す。この実施例２におけるヘアカーラーは、伝熱体２および髪巻体３のカーラー枠１に対する組み付け構造と、感温変色シート４の視認構造と、装着ボス１８の構造を変更する点が、実施例１のヘアカーラーと大きく異なる。図６以下のヘアカーラーの各実施例においては、先の実施例と異なる点を主に説明し、先の実施例と同じ部材に同じ符号を付してその説明を省略する。
【００４５】
図６に示すようにカーラー枠１は、円筒周面に通気窓５の一群を開口した格子筒状のプラスチック成形品からなり、その周面には連結突起８が形成してある。この実施例における連結突起８は、筒軸方向に長いリブ状の連結突起８ａと、同突起８ａで構成される突起列の筒軸方向の中央、および筒軸方向の両端に配置される丸軸状の連結突起８ｂ・８ｃとで構成する。図６に示すように、各連結突起８ａ・８ｂ・８ｃは筒軸方向に沿って直線列状に並んでいる。リブ状の連結突起８ａと丸軸状の連結突起８ｂ・８ｃの突出寸法は、それぞれ伝熱体２の厚み寸法より僅かに大きく設定する。さらに、中央の丸軸状の連結突起８ｂの突出寸法は、他の連結突起８ａ・８ｃより大きく、さらに伝熱体２の厚み寸法と髪巻体３の基布部２４の厚み寸法の合計寸法より大きく設定してある。具体的には、伝熱体２の厚み寸法を０．１ｍｍ、基布部２４の厚み寸法を０．３〜０．４ｍｍとするとき、中央の丸軸状の連結突起８ｂの突出寸法を１．５ｍｍとした。また、残る連結突起８ａ・８ｃの突出寸法を０．５ｍｍとした。
【００４６】
上記の連結突起８・８ａ・８ｂとは別に、中央の連結突起８ａと同形で同大の３個の位置決め突起１０８が、格子筒の筒軸方向中央の周面に沿って形成してある。中央の連結突起８ａおよび位置決め突起１０８の形成位置は、周方向へ９０度ずつ位相がずらしてあり、これらの周方向の隣接部中央に、感温変色シート４を装着するための４個の装着凹部１０が長方形状に凹み形成してある。なお、位置決め突起１０８は複数個設けるのが好ましいが、少なくとも１個あればよい。
【００４７】
図７に示すように伝熱体２の巻き始端２ａには長穴状の連結穴２１を形成する。連結穴２１は、先のリブ状の連結突起８ａに対応するスリット状の連結穴２１ａと、丸軸状の連結突起８ｂ・８ｃに対応する連結穴２１ｂとで構成する。スリット状の連結穴２１ａの巻き付け方向の幅寸法は、実施例１で説明した連結穴２１の幅寸法より大きく設定してある。その意味は後述する。図８に示すように後者の連結穴２１ｂは、連結突起８ｂ・８ｃの円形断面を内包する円弧と、円弧に連続して先すぼまり状に傾斜する一対の食込体１１０とで液滴状に形成してある。また、位置決め突起１０８に対応して、３個の位置決め穴１１１が形成してある。さらに、４個の装着凹部１０と対応するシート面の４個所には、円形の視認窓２２が開口してある。
【００４８】
髪巻体３の基布部２４の巻き始端３ａには、中央の連結突起８ｂと３個の位置決め突起１０８に対応して、４個の係合穴１１２が形成してある。さらに、４個の装着凹部１０と対応する基布部２４の４個所には、円形の視認開口１１３が開口してある。
【００４９】
ヘアカーラーＣは以下の要領で組み立てる。まず、カーラー枠１の装着凹部１０に、長方形状の感温変色シート４を貼り付け固定する。次に、伝熱体２の巻き始端２ａに設けた連結穴２１ａ・２１ｂをカーラー枠１の連結突起８ａ・８ｂ・８ｃに係合したのち、伝熱体２を巻き付け方向へ引っ張ることにより、図８に示すように示すように、一対の食込体１１０を丸軸状の連結突起８ｂ・８ｃの周面に食い込ませて仮固定する。この食い込み動作を可能とするために、連結穴２１ａの巻き付け方向の幅寸法を、連結突起８の幅寸法より大きく設定している。さらに、髪巻体３の巻き始端３ａに設けた係合穴１１２を、筒軸方向中央の連結突起８ｂに係合し、図９に示すように連結突起８ｂの突端を溶着して、伝熱体２および髪巻体３の巻き始端２ａ・３ａをカーラー枠１に仮固定する。
【００５０】
上記の状態で、伝熱体２の位置決め穴１１１と、髪巻体３の係合穴１１２とを次々に位置決め突起１０８に係合しながら、伝熱体２および髪巻体３をカーラー枠１に巻き付けて、髪巻体３の巻き始端３ａと巻き終端３ｂとを、連結突起８ａ・８ｂ・８ｃの外面において内外に重ねる。その状態で、溶着ホーンＴの突起２６を髪巻体３の巻き終端３ｂの外方に押し付けて、内外に重なる両基布部２４と全ての連結突起８ａ・８ｂ・８ｃとを同時に溶着する。この実施例では、連結突起８ａ・８ｂ・８ｃの突出寸法を、伝熱体２の厚み寸法と髪巻体３の基布部２４の厚み寸法の合計寸法と同じか、これより大きく設定するので、連結突起８ａ・８ｂ・８ｃの突端を溶融して押し潰すことができればよく、リブ状の溶着ホーンＴの下面に突起２６を設ける必要はない。突起２６を設けるとしても、その形状は円錐形以外のＸ字状や、円筒状、各筒状などの任意形状に形成することができる。因みに連結突起８ａ・８ｂ・８ｃの突出寸法が、伝熱体２の厚み寸法より大きい場合には、突起２６は必要なく、リブ状の溶着ホーンＴで連結突起８ａ・８ｂ・８ｃの突端を基布部２４とともに溶融して押し潰せばよい。また、連結突起８ａ・８ｂ・８ｃの突出寸法が、伝熱体２の厚み寸法より小さい場合には、リブ状の溶着ホーンＴで連結突起８ａ・８ｂ・８ｃの突端を押し潰せないので、リブ状の溶着ホーンＴの下面に設けた一群の円錐形の突起２６で連結突起８ａ・８ｂ・８ｃを押し広げながら溶着する必要がある。
【００５１】
溶着時の連結突起８ａ・８ｂ・８ｃは、突起２６で溶融されながら拡大変形して、その周面が伝熱体２の連結穴２１ａ・２１ｂに密着する。したがって、溶着後の伝熱体２をカーラー枠１に対して、がた付きのない状態で固定でき、同時に髪巻体３をカーラー枠１に固定することができる。組み立てが完了した状態における伝熱体２の巻き始端２ａと巻き終端２ｂとは、実施例１のヘアカーラーＣと同様に、それぞれの端縁どうしが隣接する状態になっている。得られたヘアカーラーＣは、図１０に示すように、装着凹部１０に固定した感温変色シート４の呈色状態を、髪巻体３の視認開口１１３と、伝熱体２の視認窓２２を介して直接視認できるので、感温変色シート４の呈色状態をより明確に視認できる。
【００５２】
この実施例においては、連結穴２１・１０９に設けた食込体１１０を、丸軸状の連結突起８ａ・８ｂの周面に食い込ませて伝熱体２を仮固定する。さらに、髪巻体３の係合穴１１２を中央の連結突起８ａに係合した状態で連結突起８ａの突端を溶着して、伝熱体２および髪巻体３の巻き始端２ａ・３ａをカーラー枠１に仮固定する。したがって、以後の伝熱体２および髪巻体３の巻き付け作業をより確実に、しかも簡便に行なえる。また、伝熱体２の位置決め穴１１１と、髪巻体３の係合穴１１２とを位置決め突起１０８に係合させて、伝熱体２および髪巻体３を位置決めしながらカーラー枠１に巻き付けるので、髪巻体３を最後まで巻き付けた状態において、伝熱体２および髪巻体３が筒軸方向へずれるのを確実に防止できる。
【００５３】
この実施例においては、図１１に示すように、装着ボス１８の筒軸方向の長さを大きくして、その出口開口１４側のボス端を端壁８８で塞ぐようにした。このように、装着ボス１８を下向きに開口する有底筒状に形成すると、装着ボス１８および、装着ボス１８の周面に連続するリブ状突起１５の構造強度を増強して、ヘアカーラーＣの強度を向上できる。また、装着ボス１８のボス端を端壁８８で塞ぐことにより、指先が装着ボス１８に差し込まれるのを解消できる。なお、装着ボス１８のボス端が開口している場合には、意図的に、あるいは誤って指先が装着ボス１８に差し込まれるおそれがある。装着ボス１８に差し込まれた指先が傷付き、あるいは骨折する危険性もある。なお、図１１においては、ヘアカーラーＣを後述するヘアセッターに組み付けた状態を示している。
【００５４】
また、装着ボス１８は、ヘアセッターから送給される温風を、装着ボス１８および端壁８８でせき止めて、カーラー枠１の内部で循環させるので、ヘアカーラーをより短い時間で効果的に加熱できる。ヘアカーラーの再加熱を行なう場合にも、同様に効果的に再加熱できる。また、装着ボス１８とカーラー枠１の筒壁との間の出口開口１７から温風の一部を温風出口１４側へ排出して、ヘアカーラーＣを筒軸方向へまんべんなく加熱できる。つまり、ボス端を端壁８８で塞いだ装着ボス１８は、実施例１で説明した規制壁１６と同様の機能を発揮する。
【００５５】
図１２以下に、髪巻体３および伝熱体２の固定構造を変更したヘアカーラーＣの別の実施例を示す。なお、図１２以下の各実施例は、上記の実施例に換えて実施することができ、あるいは上記の実施例に付加した状態で実施することができる。
【００５６】
図１２においては、連結突起８の突端部に２個の尖鋭突起８０を設けておき、基布部２４の巻き始端３ａを尖鋭突起８０に掛止した状態で、髪巻体３を伝熱体２の外面に巻き付けるようにした。尖鋭突起８０は、溶着時に図示していない溶着ホーンで押し潰されて基布部２４に溶け込む。このように、伝熱体２を連結突起８に係合し、さらに、基布部２４の巻き始端３ａを尖鋭突起８０に掛止すると、それぞれの巻き始端２ａ・３ａを仮り固定した状態で、伝熱体２および髪巻体３を強固に巻き締めることができる。つまり、カーラー枠１、伝熱体２、および髪巻体３の三者が密着する状態で、伝熱体２および髪巻体３をカーラー枠１に巻き付けることができる。また、内外に重なる基布部２４を、尖鋭突起８０および連結突起８とともに溶着ホーンＴで溶着することにより、内外に密着した状態の前記三者を確実に固定できる。指先を傷付けるおそれのある尖鋭突起８０を、髪巻体３を溶着する過程で押し潰して除去できる利点もある。
【００５７】
図１３および図１４に示すヘアカーラーＣにおいては、髪巻体３の巻き始端３ａをカーラー枠１の外面と伝熱体２の巻き終端２ｂとの間に挟み込んだ状態で、髪巻体３を熱体２の外面に巻き付けるようにした。また、伝熱体２の巻き終端２ｂ寄りの内面側にスパイク状の突刺体８２を設けておき、突刺体８２を基布部２４の巻き始端３ａを突き刺した状態で、伝熱体２および髪巻体３をカーラー枠１に巻き付けるようにした。
【００５８】
このように、髪巻体３の巻き始端３ａを、カーラー枠１の外面と伝熱体２の巻き終端２ｂとの間に挟み込んだ状態で、髪巻体３を伝熱体２の外面に巻き付けると、髪巻体３の巻き始端３ａがずれ動くのを規制した状態で、髪巻体３を伝熱体２の外面に常に適切に巻き付けることができる。また、髪巻体３を突刺体８２を介して伝熱体２と連結した状態でカーラー枠１に巻き込むと、伝熱体２が緩むのを規制しながら、髪巻体３をカーラー枠１に巻き込むことができ、さらに、髪巻体３を巻き締め操作することにより、伝熱体２を適正な巻き付け姿勢に巻き締めることができる。必要があれば、髪巻体３の巻き始端３ａを、伝熱体２の巻き終端２ｂの外面あるいは内面に予め接着固定し、あるいは分離不能に連結固定して、両者２・３を一体化しておくことができる。突刺体８２はカーラー枠１の側に設けてもよい。
【００５９】
図１５（ａ）から（ｄ）は、連結穴２１を連結突起８に係合する際に、その内面に設けた食込体８４を連結突起８に食い込ませて、伝熱体２をカーラー枠１に対して仮り固定できるようにした実施例を示す。伝熱体２および髪巻体３は、それぞれカーラー枠１の外周面に沿って筒軸まわりに巻き付けられる。なお、図１５においては、連結穴２１を連結突起８に係合する前の状態を矢印より左側に図示し、連結穴２１が連結突起８に係合された状態を矢印より右側に図示している。
【００６０】
図１５（ａ）では、長穴状の連結穴２１の内面５個所に、三角形状の食込体８４を設けておき、連結穴２１を連結突起８に係合する際に、各食込体８４を連結突起８の周面に食い込ませるようにした。詳しくは、連結突起８の突端面の外方から連結穴２１を連結突起８に外嵌係合して、各食込体８４が連結突起８の周面に食い込む状態で、伝熱体２をカーラー枠１に仮組みする。
【００６１】
図１５（ｂ）では、連結突起８の断面を円形に形成した。また、連結穴２１は連結突起８の円形断面を内包する円弧と、円弧に連続して先すぼまり状に傾斜する一対の食込体８４とで液滴状に形成した。連結穴２１を連結突起８に係合したのち、伝熱体２をカーラー枠１のまわりに巻き付けながら、巻き付け方向へ引っ張ることにより、一対の食込体８４を連結突起８の周面に食い込ませるようにした。
【００６２】
図１５（ｃ）では、連結突起８の断面を円形に形成した。また、連結穴２１は連結突起８の円形断面を内包する長穴状に形成し、巻き始端２ａに近い側の円弧縁に三角形状の食込体８４を設けるようにした。この場合にも、連結穴２１を連結突起８に係合したのち、伝熱体２をカーラー枠１のまわりに巻き付けながら、巻き付け方向へ引っ張ることにより、食込体８４を連結突起８の周面に食い込ませることができる。
【００６３】
図１５（ｄ）では、連結突起８の断面を長穴状に形成した。また、連結穴２１は連結突起８の断面を内包する長穴状に形成し、一方の円弧縁に三角形状の食込体８４を設けるようにした。この場合には、連結穴２１を連結突起８に係合したのち、伝熱体２をカーラー枠１の筒軸心方向へ移動操作することにより、食込体８４を連結突起８の周面に食い込ませることができる。なお、食込体８４は連結穴２１の一部に設けてあればよい。例えば、少なくとも連結穴列の両端寄りの連結穴２１に設けてあればよく、全ての連結穴２１に設ける必要はない。
【００６４】
図１で説明した実施例においては、伝熱体２の巻き始端２ａのみを連結突起８に係合したが、その必要はなく、図１６ないし図２０に示すように、伝熱体２の巻き始端２ａおよび巻き終端２ｂのそれぞれを連結突起８に係合することができる。このように、伝熱体２の巻き始端２ａおよび巻き終端２ｂを連結突起８に係合すると、巻き始端２ａおよび巻き終端２ｂのそれぞれが、筒軸方向やカーラー枠１の周方向へずれ動くのをさらに確実に防止できる。また、巻き方向の始終端２ａ・２ｂを連結突起８に係合したのちは、その状態を自己保持できるので、髪巻体３の巻き付け作業を簡便に行なえる。伝熱体２の巻き始端２ａ、あるいは巻き終端２ｂのみを連結突起８に係合する場合に比べて、伝熱体２をカーラー枠１に対して強固に固定できる利点もある。なお、図１６ないし図２０における髪巻体３は、先に説明した実施例と同様に、その巻き始端３ａと巻き終端３ｂとを連結突起８の外面において内外に重ねたうえで、連結突起８に溶着固定する。
【００６５】
図１６においては、伝熱体２の巻き始端２ａおよび巻き終端２ｂに、コ字状の突縁８５とコ字状の凹縁８６とを互い違い状に形成し、各突縁８５に連結穴２１を形成して、伝熱体２の巻き始端２ａおよび巻き終端２ｂのそれぞれを、連結突起８に係合できるようにした。
【００６６】
図１７においては、図１６の伝熱体２と同様に、突縁８５と凹縁８６とを互い違い状に形成するが、突縁８５および凹縁８６を連続波形に形成する点が、図１６の伝熱体２と異なる。
【００６７】
図１８においては、筒軸方向へ長い２個のリブで連結突起８を形成し、各連結突起８の位相位置を周方向へずらすようにした。また、伝熱体２の巻き始端２ａおよび巻き終端２ｂに、突縁８５と凹縁８６を１個ずつ階段状に設けて、各突縁８５に連結突起８に対応する連結穴２１を設けるようにした。
【００６８】
図１９においては、伝熱体２の展開形状を四角形にしたうえで、その巻き始端２ａおよび巻き終端２ｂのそれぞれに連結穴２１を設けて、巻き始端２ａおよび巻き終端２ｂを連結突起８に係合するようにした。この係合構造によれば、伝熱体２の巻き始端２ａと巻き終端２ｂとは、内外に重なる状態でカーラー枠１に固定できる。
【００６９】
図２０においては、カーラー枠１の周面に、連結突起８の列を２列形成し、伝熱体２の巻き始端２ａと巻き終端２ｂを、それぞれ異なる連結突起８の列に係合するようにした。
【００７０】
上記の各実施例においては、伝熱体２の巻き始端２ａおよび巻き終端２ｂの少なくとも一方に連結穴２１を形成したが、その必要はない。例えば図２１に示すように、伝熱体２の巻き幅方向の中央部分に連結穴２１を設けておき、連結穴２１を連結突起８に係合した状態で、巻き始端２ａおよび巻き終端２ｂのそれぞれをカーラー枠１の周面に巻き付けることができる。連結穴２１は、伝熱体２の巻き幅方向の任意位置に形成することができる。
【００７１】
図２２においては、カーラー枠１の周面に、周方向へ長いリブ状の連結突起８を筒軸方向へ直線列状に形成して、これに伝熱体２の連結穴２１を係合するようにした。
【００７２】
図２３においては、カーラー枠１の筒両端に設けた各規制リブ９から、筒軸方向に長い連結突起８を対向状に形成した。また伝熱体２に切欠状の連結溝（連結穴）２１を形成して、先の連結突起８に係合できるようにした。このように、本発明における連結穴２１は、切欠状の連結溝２１を含む概念である。
【００７３】
以上のように構成したヘアカーラーＣは、図２４以下に示すへアーセッターで加熱したのち、カーラー枠１の周面に頭髪を巻き付け、ヘアークリップで止め付けた状態で使用する。なお、へアーセッターに装着して加熱するヘアカーラーＣは、実施例１で説明したヘアカーラーＣを例示している。
【００７４】
図２４に示すように、ヘアセッターは、上下に長いセッター本体３１と、セッター本体３１に交換装着されるカールユニット３２とを備えており、カールユニット３２のカール部に本発明のヘアカーラーＣが着脱自在に装着される。カールユニット３２は、図示していないブローブラシ、やノズルなどと共にアタッチメントを構成しており、それぞれセッター本体３１の連結部４０に交換装着できる。
【００７５】
セッター本体３１は、筒状の本体ケース３３の内部に送風ファン３４やヒーター３５などを配置し、吹出口３６の側にイオン発生用の放電ユニットを備えた放電体３７を配置して構成してある。グリップを兼ねるセッター本体３１の上部外面にはスイッチノブ３９とロック解除用のボタン４１とが設けてある。スイッチノブ３９をスライド操作することにより、送風ファン３４のモーター３８やヒーター３５への通電状態を切り換えることができる。また、ロック解除用のボタン４１を押し込み操作することにより、吹出口３６の周囲の連結部４０に連結したアタッチメントを取り外すことができる。符号４２は吸込口である。
【００７６】
図２５において、放電体３７は丸筒状の中空体で形成してあり、その周囲壁に円形の４個のイオン送出付口４５と、長穴状の一群の通気口４６とがそれぞれ開口してある。吹出口３６から吹き出された温風（あるいは冷風）の一部は、放電体３７の内部に入り込み、通気口４６を介して周囲に吹き出され、同時にイオン送出付口４５からマイナスイオンが放出される。また、吹出口３６から吹き出された温風の一部は、放電体３７の外面に沿って流動する。各イオン送出付口４５に臨む放電体３７の内部には、放電電極４７と対向電極４８とを備えた放電ユニットが配置してある（図２７および図３０参照）。放電ユニットに高電圧のパルス電流を供給するイオン発生ユニットは本体ケース３３の内部に収容してある。
【００７７】
カールユニット３２は、連結部４０に外嵌装着される連結筒５１を有し、連結筒５１の上部に丸筒状のカール軸体５２と、カール軸体５２と協同して髪を挟み保持する押えアーム５３とを備えている。これらのカール軸体５２と押えアーム５３とでカール部を構成している。連結筒５１の内面の対向２個所には、係合凹部５５が形成してあり、先のロック解除用のボタン４１を押し込み操作することにより、係合凹部５５と係合するロック爪５４をロック解除操作できる。
【００７８】
カール軸体５２の周囲壁には、放電体３７のイオン送出付口４５に対応してイオン開口５７が形成してあり、通気口４６と対向する筒壁には一群の通気開口５８が形成してある。また、カール軸体５２の下端に臨んで周回吹出口５９が形成してある。カール軸体５２に装着したヘアカーラーＣを抜け外れ不能にロック保持するために、カール軸体５２の突端に、上端が半球状に丸められたロック筒（突端軸部）６１をビス６２（図２７参照）で締結固定し、その対向周面に弾性変形可能なロック腕（ロック体）６３を設けている。また、カール軸体５２の突端の内面には、放電体３７の突端に設けた突起６４と係合するボス６５が設けてある。図２６において、ロック筒６１の下端側の対向周面で、両ロック腕６３の形成位置から９０度周方向へ位相がずれた位置には、ヘアカーラーＣの差し込み限界を規定する一対の規制突起６６が形成してある。
【００７９】
押えアーム５３は、ステンレス板材製のプレス成形品からなる上下に長いアーム本体７０と、アーム本体７０を支持するハンドル７１と、ハンドル７１を揺動付勢する圧縮コイル形のばね７２などで構成してある。アーム本体７０の断面は、カール軸体５２の周面に沿う部分円弧状に形成してあり、その壁面の上下２個所にはイオン開口５７に対応するイオン窓７３と、通気窓７５が開口してある。
【００８０】
ハンドル７１は、連結筒５１に固定される一対の揺動ピン７４でシーソー揺動可能に軸支され、アーム本体７０がカール軸体５２と密着する向きにばね７２で付勢してある（図２７参照）。ハンドル７１をばね７２に抗して押し込むことにより、図２６に示すようにアーム本体７０を開き操作できる。ハンドル７１が配置された部分を除く連結筒５１の周面には、支持リング７６がフランジ状に張り出してある。ハンドル７１は、ヘアセッターを傾斜姿勢で支持する時の支持脚を兼ねており、そのためにハンドル７１の下部のレバー部分に斜めの載置部７７が設けてある。
【００８１】
ヘアカーラーＣをヘアセッターで加熱する場合には、まず、カールユニット３２を放電体３７に外嵌する状態で装着し、その連結筒５１を連結部４０に外嵌装着して、ロック爪５４で分離不能にロック固定する。この状態では、基端側の連結筒５１が連結部４０で支持され、さらにカール軸体５２の先端寄りに設けたボス６５が突起６４で支持されるので、カールユニット３２をぐらつく余地のない状態で本体ケース３３に確りと固定できる。
【００８２】
次に、ヘアカーラーＣをカール軸体５２に差し込み装着するが、その過程では、リブ状突起１５がカール軸体５２で移行案内されるので、カーラー枠１を概ね同心状に保持した状態のままで、装着ボス１８をロック筒６１に容易に外嵌できる。装着ボス１８をロック筒６１に外嵌した状態では、図２９に示すように、ロック腕６３が内向きに弾性変形して装着ボス１８の内面に密着するので、ロック腕６３と装着ボス１８との摩擦力によってヘアカーラーＣの装着状態を維持できる。さらに、装着ボス１８の下端を一対の規制突起６６で受け止めて、カーラー枠１の差し込み限界を規定している。
【００８３】
上記のようにカーラー枠１をカール軸体５２に装着した状態においては、カーラー枠１の下端とカール軸体５２の基端との間に隙間Ｅが設けられており、この隙間Ｅに臨むカール軸体５２の基端に臨む状態で周回吹出口５９が開口してある（図２７参照）。この状態でスイッチノブ３９をオン操作して、温風をカール軸体５２からヘアカーラーＣの内部に吹き出し供給する。温風の一部は周回吹出口５９からカーラー枠１の内部へ直接吹き出し供給される。また、温風の送給と同時に、放電体３７からマイナスイオンを放出して、ヘアカーラーＣの全体をマイナスに帯電させる。カーラー枠１の内部に達した温風は、リブ状突起１５を加熱し、同時に通気窓５に臨む伝熱体２を加熱しながら、伝熱体２の通気穴２０と基布部２４とを介してヘアカーラーの外部へ放出される。リブ状突起１５は筒軸方向へ長く、しかも筒内面に沿って放射状に形成してある。したがって、ヘアカーラーＣの全体を筒軸方向と周方向に均等に加熱することができる。
【００８４】
温風によるヘアカーラーＣの加熱は、３０秒〜１分間連続して行なうが、ヘアカーラーＣが加熱されるまでの間、ヘアセッターは図３１（ａ）に示す状態で載置しておくことができる。詳しくは、ハンドル７１の下部の載置部７７と、本体ケース３３の吸込口４２側の端部とをテーブル等の載置面７８に載置して、ヘアーカーラーＣの側が傾斜上端となる姿勢で、ヘアセッターを載置して、ハンドフリー状態でヘアーカーラーＣを加熱できる。ヘアカーラーＣを加熱する間に、誤ってヘアセッターを横転させるようなことがあったとしても、図３１（ｂ）に示すように支持リング７６がテーブル等の載置面７８に接当して、ヘアカーラーＣを載置面７８から浮き離れた状態に保持できるので、カーラー枠１が通風不良に陥って過熱状態になるのを防止できる。
【００８５】
ヘアカーラーＣを加熱する際に、カール軸体５２の周面や、ヘアカーラーＣの外面に大量の髪が絡み付いていると、温風の通りが悪くなり、カーラー枠１が局部的に過熱状態に陥ることがある。このような通風不良に伴なう過熱を防止するために、カーラー枠１とカール軸体５２の基端との間に隙間Ｅを確保して（図２７参照）、周回吹出口５９から送給される温風を隙間ＥからヘアカーラーＣの外部へ放出できるようにしている。
【００８６】
カーラー温度が適温になったことは、視認窓２２を介して感温変色シート４を視認し、シート全体の呈色状態がピンクになっていることで確認できる。この時点で、スイッチノブ３９をオフ操作して、ヒーター３５およびモーター３８への通電を停止する。次に、カーラー枠１の全体を掴んで、あるいは、カーラー枠１の温風出口１４の開口縁を指先で掴んで、ロック腕６３の弾性に逆らいながらカール軸体５２から抜き外す。このとき、温風出口１４に臨むリブ状突起１５とフック片２５とを摘むようにして掴むことにより、指先の接触面積を小さくして、指先に感じる熱さを緩和できる。
【００８７】
カール軸体５２から取り外したヘアカーラーＣは、例えば図３２に示すように、その周面に頭頂部の髪を先端から根元へ向かって巻き込んでヘアーピンで止め付け、カーラー枠１の熱を加えながら髪をくせ付けする。この状態のカール軸体５２は、充分に高い温度状態にあり、したがってスイッチノブ３９をオン操作してすぐに、側頭部などの髪をカール軸体５２に巻き付けて、ヘアカーラーＣによるくせ付けと併行してカール処理できる。つまり、ヘアカーラーＣによるくせ付けと、カール軸体５２によるカール処理とを併行して行なうことができ、整髪作業をより短時間で速やかに行なえる。
【００８８】
ヘアーピンで頭髪に止め付けたヘアカーラーＣは、温風を送給して再加熱することができる。その場合には、セッター本体３１を温風送給状態にしたのち、カール軸体５２をカーラー枠１の内部に差し込んで加熱する。ただし、カール軸体５２はヘアカーラーＣの差し込み限界まで差し込む必要はなく、カール軸体５２から吹き出される温風と、周回吹出口５９から送給される温風とでカーラー枠１を内外から加熱するとよい。ヘアードライヤーで生成した温風を温風入口４３へ向かって吹き出してカーラー枠１を内外から加熱し、あるいはカーラー枠１に巻き付けられた髪とカーラー枠１とを同時に加熱してもよい。いずれの場合でも、予め加熱しておいたヘアカーラーＣで髪の加熱を行なうので、再加熱に要する時間は短時間ですむ。なお、ヘアセッターに適用されるヘアカーラーＣは、筒状スポンジなどの連続気泡構造の髪巻体３であってもよい。その場合には、髪が巻き付けられたヘアカーラーＣをクリップやヘアーピンで止め付けて、髪の巻き付け状態を保持するとよい。
【００８９】
上記構成のヘアセッターは以下の形態で実施することができる。
セッター本体３１と、セッター本体３１の一側に設けられて髪を加熱しながらカール処理するカール部と、カール部に着脱自在に外嵌装着されるヘアカーラーＣとを備えており、
カール部に装着して加熱されたヘアカーラーＣをカール部から取り外し、その周面に髪を巻き込んでカール処理することを特徴とするヘアーセッター。
【００９０】
上記のように、使用時には、セッター本体３１の一側に設けられるカール部にヘアカーラーＣを装着して所定の温度状態に加熱し、カール部から取り外したヘアカーラーＣの周面に髪を巻き込んでくせ付けを行なう。このように、予め加熱された状態のヘアカーラーＣを使用して、その周面に髪を巻き付けてくせ付けを行なうようにすると、髪のくせ付けに要する一連の作業を簡便に行なってユーザーの負担を軽減できる。
【００９１】
詳しくは、加熱されたヘアカーラーＣを回転操作するだけで髪をカーラー周面に確りと巻き付け、髪が巻き付けられた状態のヘアカーラーＣをヘアーピンで頭髪に固定することにより、ヘアカーラーＣの熱を髪に加えながらくせ付けできる。したがって、髪が充分に加熱されるまでの間、セッター本体を頭上に差し上げた状態で持ち続ける必要があった従来のヘアーセッターとは異なり、ユーザーに余分な負担が掛かるのを一掃して、頭髪のカール処理を簡便に行なえる。さらに、カーラー周面に巻き込まれた髪を、ヘアカーラーＣの熱で内側から加熱しながらくせ付けするので、とくに髪の毛先側を効果的にカール処理できる。
【００９２】
カール部が、熱を供給するカール軸体５２と、カール軸体５２と協同して髪を挟み保持する押えアーム５３とを備えている。
【００９３】
熱を供給するカール軸体５２でカール部を構成すると、ヘアカーラーＣに髪を巻き込んでくせ付けを行ないながら、同時に、セッター本体３１のカール部によるくせ付けとを併行して行なうことができる。したがって、一連の整髪作業をより短時間で速やかに行なえる。例えば、カール部で加熱したヘアカーラーＣを頭頂部に装着して髪をくせ付けしながら、併行して側頭部の髪をカール部でくせ付けすることができる。また、カール軸体５２と押えアーム５３とで髪を挟み保持した状態で巻き込むことにより、カール処理したい髪の部位を的確に加熱しながらくせ付けして、ヘアーセットをより的確にしかも迅速に行なえる。また、ヘアカーラーＣを加熱したときのカール部の熱を有効に利用しながらくせ付けできるので、消費エネルギーの無駄を抑止できる。２個目のヘアカーラーＣを加熱する場合や、カール部で髪をくせ付けしたのちヘアカーラーＣを加熱する場合にも、前回に加熱したときのカール部の熱を有効に利用して、消費エネルギーの無駄を抑止できる。押えアーム５３が金属で形成してある場合には、押えアーム５３の熱を有効に利用して、ヘアカーラーＣや髪を迅速に加熱できる利点もある。
【００９４】
セッター本体３１の内部に、モーター３８で駆動される送風ファン３４と、ヒーター３５とが設けられており、
カール軸体５２は、周面に一群の通気開口５８が開口された中空体で形成されており、
セッター本体３１から送給される温風を、カール軸体５２の一群の通気開口５８から吹き出し供給する。
【００９５】
セッター本体３１で生成した温風を、中空のカール軸体５２を介して一群の通気開口５８からヘアカーラーＣの内部に吹き出し供給するヘアーセッターによれば、カール軸体５２に装着したヘアカーラーＣを内側から満遍なく加熱することができる。また、適度に加熱された温風を熱源にしてヘアカーラーＣを加熱するので、ヘアカーラーＣの温度が異常に高くなるのを確実に防止でき、したがって、カール軸体５２から取り外したヘアカーラーＣに髪を巻き付ける作業を安全にしかも確実に行なえる。さらに、カール部で直接くせ付けを行なう場合には、カール軸体５２に巻き付けられた髪を満遍なく均等に加熱し、あるいは冷風で冷却してカール形状を固定することができる。
【００９６】
セッター本体３１の連結部４０にカールユニット３２が着脱可能に差し込み装着されており、
カールユニット３２に、カール部を構成するカール軸体５２と押えアーム５３とが設けてある。
【００９７】
セッター本体３１の連結部４０に着脱されるカールユニット３２に、カール部を構成するカール軸体５２と押えアーム５３を設けると、カールユニット３２と他のアタッチメントを併用して、多様な髪処理を行なうことができる。例えば、ヘアカーラーＣに髪を巻き込んでくせ付けを行ないながら、カール部で直接くせ付けを行ない、あるいは他のアタッチメントを使用してヘアーブローなどの整髪作業を併行して行なえる。また、ヘアカーラーＣに髪を巻き込んでくせ付けを行なう際にカールユニット３２をセッター本体３１から取り外し、温風をヘアカーラーＣの周辺に吹き出すことにより、髪およびヘアカーラーＣを追加して加熱できる。
【００９８】
ヘアカーラーＣが、周面に一群の通気窓５が開口してある筒状のカーラー枠１と、カーラー枠１の外周面に設けられる髪巻体３とを含んで構成してある。
【００９９】
少なくとも、通気自在な筒状のカーラー枠１と髪巻体３とで構成したヘアカーラーＣによれば、カーラー枠１の周面から吹き出される温風でヘアカーラーＣ周面に巻き付けられた髪を満遍なく加熱しながら、ヘアカーラーＣを軽量化できる。したがって、ヘアカーラーＣを頭髪に止め付けた状態で、他の頭髪部位の整髪作業を行なうような場合に、ヘアカーラーＣが揺れ動いて地肌が引っ張られたり、頭髪に対するヘアカーラーＣの止め付け位置がずれ動くのを確実に防止できる。つまり、重量が大きなヒーター内蔵のカーラーに比べて、軽量化されたヘアカーラーＣで違和感のない状態でくせ付けを行なえる。なお、カーラー枠１と髪巻体３との間に伝熱体２が配置してあるヘアカーラーＣであっても、同様に軽量化して、違和感のない状態でくせ付けを行なえる。さらに、カール軸体５２で加熱されたヘアカーラーＣを取り外して髪を巻き付ける際に、カーラー枠１からの熱伝導を髪巻体３で緩和できるので、ヘアカーラーＣに対する髪の巻き付け作業を安全にしかも確実に行なえる。
【０１００】
前記髪巻体３が、通気自在な基布部２４と、基布部２４の外面に形成される一群のフック片２５とでフック型ファスナーで形成されており、
髪巻体３をカーラー枠１周囲に巻き付けてヘアカーラーＣが形成してある。
【０１０１】
髪巻体３が、基布部２４と一群のフック片２５とを備えたフック型ファスナーで形成してあると、フック片２５に毛先を絡みつかせて髪の巻き付け作業を円滑に、しかも確実に行なえる。また、面ファスナー状の髪巻体３は、水分を吸収しにくい特性を備えているので、カール軸部２５から吹き出される温風の熱が基布部２４およびフック片２５を通過する間に無駄に消費されるのを避けて、髪の乾燥およびくせ付けをより効果的に行なうことができる。
【０１０２】
ヘアカーラーＣが、カール軸体５２および押えアーム５３に外嵌する状態でカール部に装着してある。
【０１０３】
カール軸体５２および押えアーム５３に外嵌する状態でヘアカーラーＣをカール部に装着するようにすると、カール軸体５２の熱と押えアーム５３の熱とでヘアカーラーＣを効果的に加熱できる。また、ヘアカーラーＣを加熱したのちの、カール軸体５２と押えアーム５３の熱を有効に利用しながら髪をくせ付けして、消費エネルギーの無駄を抑止できる。とくに、押えアーム５３が金属で形成してある場合には、押えアーム５３の熱を有効に利用して、ヘアカーラーＣや髪を迅速に加熱できる。
【０１０４】
カール軸体５２に装着したヘアカーラーＣと、カール軸体５２の基端との間に隙間Ｅが設けてある。
【０１０５】
カール軸体５２に装着したヘアカーラーＣと、カール軸体５２の基端との間に隙間Ｅを設けると、ヘアカーラーＣにおける温風の通りが悪い状態において、ヘアカーラーＣが局部的に過熱状態に陥るのを防止できる。温風の通りが悪い状態では、セッター本体３１から送給される温風を隙間ＥからヘアカーラーＣの外部へ放出して、ヘアカーラーＣの内部に温風がこもるのを防止できるからである。なお、温風の通りが疎外される状態は、カール軸体５２の周面やヘアカーラーＣの内外面に大量の髪が絡み付いている場合などに生じやすいが、こうした場合でもヘアカーラーＣが過熱されるのを確実に解消して、ヘアカーラーＣによる髪のくせ付けを安全に行なえる。
【０１０６】
カーラー枠１のカール部への装填始端側に温風入口１３が開口されており、
カーラー枠１の突端寄りの内面に、カーラー枠１の内部を軸方向へ仕切る規制壁１６が形成されており、
規制壁１６にカール軸体５２の挿通を許す装着ボス１８が形成してある。
【０１０７】
カーラー枠１の突端寄り内面に装着ボス１８を備えた規制壁１６を設けると、カール軸体５２から周囲へ吹き出された温風と、温風入口１３の側から送給された温風の殆どを規制壁１６でせき止めて、ヘアカーラーＣを加熱できる。したがって、温風が無駄に消費されるのを防ぐことができる。また、ヘアカーラーＣに巻き付けた髪のくせ付けを効果的に行なうことができる。さらに、頭髪に固定したヘアカーラーＣの内部に温風を吹き込んで、ヘアカーラーＣの再加熱を行なう場合に、セッター本体３１から吹き出し供給される温風を規制壁１６でせき止めて、ヘアカーラーＣの内部で循環させることにより、ヘアカーラーＣを効果的に再加熱できる。
【０１０８】
カーラー枠１の周壁内面に、カーラー枠１の表面積を増加する凹凸体が設けられており、
前記凹凸体が、カーラー枠１の筒軸心に沿って平行に、かつ放射状に配置した一群のリブ状突起１５で形成してある。
【０１０９】
カーラー枠１の周壁内面に凹凸体を形成すると、カーラー枠１の内面の表面積を増加して、温風とカーラー枠１の接触機会を増やすことができる。また、凹凸体を、カーラー枠１の中心軸線と平行で、しかも放射状に配置した一群のリブ状突起１５で形成すると、温風を軸心方向に延びるリブ状突起１５に沿って均等に分布させることができる。したがって、カーラー枠１の全体を均等に加熱して、その周面に巻き込まれた髪をむらのない状態で均等にくせ付けできる。また、放射状に配置したリブ状突起１５は、カール軸体５２とカーラー枠１との隙間を周方向へ概ね均等に区分して、ヘアカーラーＣの一部が過熱状態に陥るのを阻止できる。
【０１１０】
以上のように、一群のリブ状突起１５を備えたヘアカーラーＣによれば、ヘアカーラーＣの加熱に要する時間を短縮して、効果的にしかも無駄なエネルギー消費を抑えながらカーラーの加熱を行なえる。また、一群のリブ状突起１５を設けることにより、カーラー枠１の全体の体積を増やして、その分だけヘアカーラーＣの蓄熱量を増加して髪の加熱を効果的に行なうことができる。
【０１１１】
押えアーム５３の壁面に、カール軸体５２の通気開口５８から吹き出し供給された温風の通過を許す通気窓７５が形成してある。
【０１１２】
押えアーム５３の壁面に通気窓７５を形成すると、カール軸体５２の通気開口５８から吹き出し供給された温風を通気窓７５を介してヘアカーラーＣの内部に送給できるので、ヘアカーラーＣをさらに均等に加熱して、髪の加熱くせ付けをむらのない状態で行なえる。カール軸体５２と押えアーム５３との間に髪を挟み込んでくせ付けを行なう場合にも、通気窓７５を通り抜ける温風で髪を効果的に加熱できる。
【０１１３】
セッター本体３１の一側に、イオン発生ユニットを備えた放電体３７が設けられて、その外面にカール軸体５２が配置されており、
セッター本体３１から送給される温風と同時に、放電体３７で生成したマイナスイオンを送給できる。
【０１１４】
セッター本体３１の一側に、イオン発生ユニットを備えた放電体３７を設け、その外面にカール軸体５２を配置すると、温風と同時に放電体３７で生成したマイナスイオンを送給して、ヘアカーラーＣをマイナスに帯電させることができる。したがって、髪がプラスに帯電していたとしても、マイナスに帯電したヘアカーラーＣで髪の電位を中和し、あるいはマイナスイオンを付着させて髪の水分率を向上でき、くせ付けされた髪をしっとりとした状態に仕上げることができる。
【０１１５】
カール軸体５２の突端軸部６１に、カール軸体５２に装着したヘアカーラーＣの抜け外れを規制するロック体６３が設けられており、
ロック体６３は、突端軸部６１の周面から突出するロック位置と、突端軸部６１の周面内に沈み込むロック解除位置とに変位自在に支持されて、ばねでロック位置へ向かって進出付勢してある。
【０１１６】
カール軸体５２に装着したヘアカーラーＣを、突端軸部６１に設けたロック体６３で抜け外れ不能に規制すると、加熱された状態のヘアカーラーＣが、不用意にカール軸体５２から抜け出るのを確実に阻止できる。例えば、いたずらでセッター本体３１が振り動かされ、あるいは卓上に載置していたセッター本体３１が誤って床面に落下するような場合にも、加熱されたヘアカーラーＣがカール軸体５２から分離するのを防止し、より安全にヘアカーラーＣの加熱を行なうことができる。また、ヘアカーラーＣをカール軸体５２の所定位置まで単に差し込むだけで、ロック体６３をロック付勢して、ヘアカーラーＣを分離不能に保持できるので、より簡単な操作でヘアカーラーＣをカール軸体５２に装着し、ロック固定できる。カール軸体５２の先端の突端軸部６１にロック体６３を設けるので、ヘアカーラーＣの内部に送給される温風の流れがロック体６３で阻害されるのを防止できる。また、ヘアカーラーＣの温風入口１３に比べて温度条件が緩和された先端部分にロック体６３を設けるので、ロック体６３が過熱されて熱変形し、不用意にロック状態が解除されるのを防止できる。因みに、ロック体６３をカール軸体５２の中途部や基端部側に設ける場合には、温風の流れがロック体６３で阻害されるのを避けるためにヘアカーラーＣを太く形成することになり、ヘアカーラーＣが肥大化するのを避けられない。なお、本発明においてロック体６３の抜け外れを規制するとは、先のようにユーザーの意図しない状況でヘアカーラーＣがカール軸から分離するのを規制できるが、ユーザーがヘアカーラーＣをカール軸から意図的に分離しようとする場合には、取り外しが可能であることを意味する。
【０１１７】
ロック体６３が、カール軸体５２の突端軸部６１と一体に形成されて、自己の弾性でロック位置へ向かって進出付勢してある。
【０１１８】
ロック体６３を突端軸部６１と一体に形成すると、ヘアカーラーＣのロック構造の構成部品点数を減らすことができ、しかもロック体６３を突端軸部６１に組み付ける手間を省いて、その分だけヘアーセッターの製造コストを削減できる。また、ロック体６３を自己の弾性でロック位置へ進出付勢すると、ロック付勢用のばねを省略してさらにヘアーセッターの製造コストを削減できる。
【０１１９】
上記構成のヘアセッターは、さらに以下の形態で実施することができる。
セッター本体３１と、セッター本体３１の連結部４０に着脱される複数のアタッチメントとを備えており、
各アタッチメントは、前記連結部４０に外嵌装着される連結筒５１を備えており、
連結筒５１の周囲に、他の部位に先行して載置面７８に接当する支持リング７６が形成してあるヘアセッター。
【０１２０】
前記アタッチメントのひとつが、連結筒５１の一側に設けられるカール軸体５２と、カール軸体５２と協同して髪を挟み保持する押えアーム５３とを備えており、
押えアーム５３は、連結筒５１で揺動可能に軸支されるハンドル７１と、一端がハンドル７１に固定されて、カール軸体５２に対して接離操作されるアーム本体７０とを含んで構成されており、
ハンドル７１に、載置面７８で安定支持される斜めの載置部７７が設けてあるヘアセッター。
【０１２１】
図３３ないし図３５にヘアセッター用のスタンドを示す。スタンドはベース体９０と、ベース体９０の上面に被さるカバー９１とで構成する。ベース体９０は、円弧面状に凹む凹壁９２と、凹壁９２の両側端に連続して下向きに湾曲する一対の湾曲壁９３・９４と、これら両壁９２・９３・９４の前後を塞ぐ銀杏葉形の一対の端壁９５・９５とで、下向きに開口する容器状に形成してある。湾曲壁９３・９４の下端縁の前後中央には、それぞれ部分円状の位置決め突起９６が膨出形成してある。凹壁９２と各湾曲壁９３・９４とが隣接する稜線には、前後一対の係合穴９７が形成してある。一方の湾曲壁９３の内面には、ヘアカーラーＣを止め付けるためのループ型ファスナー９８が貼り付けてある。
【０１２２】
カバー９１は、部分円弧面からなる湾曲壁９３・９４と同じ曲率の円弧壁で形成してあり、その内面にヘアカーラーＣを止め付けるためのループ型ファスナー９９が貼り付けてある。カバー９１の両端の前後中央には、先の位置決め突起９６と係合する位置決め凹部１０１が形成してあり、この位置決め凹部１０１はヘアセッターを受け止めるための載置凹部１０２を兼ねている。カバー９１の外面には、先の係合穴９７と係合する突起１０３・１０４が突設してある。突起１０３・１０４はそれぞれ４個を一組として形成してあり、各突起１０３・１０４はカバー９１の周方向に位相がずれる状態で形成してある。
【０１２３】
スタンドはヘアカーラーＣの保管容器として使用でき、その場合には、図３３に示すようにベース体９０の内面のループ型ファスナー９８にヘアカーラーＣを装着する。さらにカバー９１の内面のループ型ファスナー９９にヘアカーラーＣを装着した状態で、カバー９１をベース体９０に被せ付けて、カバー９１と凹壁９２との間の空間にヘアカーラーＣを収容する。
【０１２４】
また、スタンドとして使用する場合には、ベース体９０およびカバー９１をヘアカーラーＣから取り外したのち、図３５に示すようにカバー９１を反転したうえで、突起１０３を係合穴９７に係合する。この状態では、カバー９１の両端の載置凹部１０２が上向きに開口しており、両開口を結ぶ線は図３５に向かって左上がり状に傾斜する。したがって、セッター本体３１の吸込口４２を、右の湾曲壁９４に近い側の載置凹部１０２に掛止し、さらに、セッター本体３１に装着したカールユニット３２の連結筒５１を、他方の載置凹部１０２に掛止することにより、ヘアーセッターを約３０度の傾斜姿勢で支持できる。なお、突起１０４を係合穴９７に係合する場合には、ベース体９０に対するカバー９１の傾斜角度をより小さくして、ヘアーセッターを約１５度の傾斜姿勢で支持できる。
【０１２５】
スタンドは、カール軸体５２にヘアカーラーＣを装着して加熱する場合にも使用でき、その場合には、ヘアカーラーＣが装着してあるヘアーセッターを、上記と同様にカバー９１に載置し、スイッチノブ３９をオン操作する。また、カールユニット３２を取り外した状態のセッター本体３１をカバー９１に載置して、吹出口３６から送給される温風や冷風によって、髪の乾燥をハンドフリー状態で行なうことができる。
【０１２６】
上記のように構成したスタンドは、以下の形態で好適に実施することができる。
ベース体９０と、保管姿勢にした状態においてベース体９０の外面を覆う湾曲形状のカバー９１とを備えており、
カバー９１を使用姿勢に反転して、ベース体９０の上面に組み付けた状態において、ヘアセッターをカバー９１の両端で橋絡状に支持できるスタンド。
【０１２７】
カバー９１が円弧壁で形成されており、
ベース体９０の上面にカバー９１を受け止める湾曲壁９３・９４が設けられており、
保管姿勢にしたカバー９１をベース体９０に被せ付けた状態において、カバー９１が湾曲壁９３・９４に外接してベース体９０の上面全体を覆っているスタンド。
その場合には、保管姿勢にしたカバー９１をベース体９０に被せ付けた状態、すなわち保管状態におけるスタンドの外観を、かまぼこ形のシンプルな形状にしてデザイン性を向上できる。また、保管状態においてスタンドが占める体積をより小さなものとして、スタンドをよりコンパクトな状態で保管できる。
【０１２８】
ベース体９０の上面に、凹壁９２と湾曲壁９３・９４とが設けられており、
前記凹壁９２の両側に複数の係合穴９７を形成し、カバー９１に前記係合穴９７と係合して、カバー９１を使用姿勢に保持する複数の突起１０３・１０４が設けられており、
前記係合穴９７と係合する突起１０３・１０４を変更して、カバー９１の使用姿勢を変更できるようにする。
その場合には、突起１０３・１０４を係合穴９７と係合することにより、カバー９１が湾曲方向や前後に遊動するのを防止して、カバー９１に載置したヘアセッターを確りと支持できる。また、係合穴９７と係合する突起１０３・１０４を変更するだけで、カバー９１のベース体９０に対する組み付け姿勢を容易に変更して、スタンドに載置したヘアセッターの姿勢を変えることができる。
【０１２９】
ベース体９０は、下凹み状の凹壁９２と、凹壁９２の両側端に連続して下向きに湾曲する円弧壁からなる湾曲壁９３・９４とで、下向きに開口する容器状に形成されており、
カバー９１は、湾曲壁９３・９４と同じ曲率の円弧壁で形成されており、
保管姿勢にしたカバー９１をベース体９０に被せ付けた状態において、カバー９１と凹壁９２の間、および湾曲壁９３・９４の内部のそれぞれに、ヘアカーラーＣが収容してあるスタンド。
その場合には、保管姿勢にしたカバー９１と凹壁９２との間の空間、および湾曲壁９３・９４の内面の空間を、ヘアカーラーＣの収納空間として利用することができる。さらに保管状態にしたスタンドが占める体積を増加する必要もなく、複数個のヘアカーラーＣをスタンド内に収納できる。
【０１３０】
カバー９１の湾曲半径が、凹壁９２の湾曲半径より大きく設定してあるスタンド。
その場合には、保管姿勢にしたカバー９１とベース体９０とが占める空間を有効に利用しながらヘアカーラーＣの収納空間を確保して、ヘアカーラーＣを整然と収納できる。
【０１３１】
凹壁９２が、ベース体９０の中央から左右いずれかへ偏寄した状態で形成されており、
凹壁９２と左右の湾曲壁９３・９４とが隣接する稜線の高さが、左右で異ならせてあるスタンド。
その場合には、高さが異なる左右の稜線でカバー９１を支持することにより、カバー９１をベース体９０に対して斜めに傾斜する状態で支持できる。
【０１３２】
ベース体９０の湾曲壁９３・９４の下端に、位置決め突起９６が膨出形成されており、
カバー９１を保管姿勢にしてベース体９０に被せ付けた状態において、前記位置決め突起９６と係合する位置決め凹部１０１がカバー９１の両側端に形成されており、
前記位置決め凹部１０１が、ヘアセッターを受け止め支持する載置凹部１０２を兼ねているスタンド。
その場合には、位置決め凹部１０１を利用してヘアセッターを支持できるので、別途載置凹部１０２を設ける必要がなく、カバー９１の構造を簡素化できる。
【０１３３】
上記以外に、髪巻体３は、逆Ｊ字状のフックを備えたフック型ファスナーである必要はなく、フック片２５がきのこ形、あるいは矢尻形に形成してあるフック型ファスナーや、フックとループが混在している共用型ファスナーで構成することができる。さらに、フック型ファスナーにおけるフック片２５は、ループ糸の一個所を切断して形成することができる。例えば、ループ糸のループ頂部より低い位置を切断して、切断位置より高い側に逆Ｊ字状のフック片２５を有し、切断位置より低い側にＩ字状のループ糸を有するフック型ファスナーとすることができる。また、ループ頂部を切断して、各ループごとに逆Ｊ字状の一対のフック片２５を備えた、フック型ファスナーとすることができる。ループ型ファスナーを素材にして髪巻体３を形成してもよい。その場合には、髪が巻き付けられたヘアカーラーＣをクリップやヘアーピンで止め付けて、髪の巻き付け状態を保持する。必要があれば、ハニカム繊維や立体繊維などの通気性に富むシート材で髪巻体３を構成することができる。
【０１３４】
伝熱体２は、通気穴２０を備えていない金属シート、あるいは通気性に富む金属メッシュで形成することができる。伝熱体２の視認窓２２の形状は、円形、楕円形、三角形、五角形など、多様な形状に形成することができる。また、個々の伝熱体２に各種形状の視認窓２２を形成しておけば、テープ状の感温変色体４の呈色状態を、見る位置によって異なる形状として視認することができる。感温変色体４はテープ状に形成する必要はなく、例えば、感温変色体４を円形や四角形などのシート片や、シール状に形成して、カーラー枠１の表面の一部に配置することができる。また、感温変色体４はカーラー枠１と伝熱体２との間に配する必要はなく、伝熱体２で覆われていないカーラー枠１の表面に配置することができる。
【符号の説明】
【０１３５】
１  カーラー枠
２  伝熱体
３  髪巻体
３ａ  髪巻体の巻き始終
３ｂ  髪巻体の巻き終端
５  通気窓
８  連結突起
２１  連結穴
【図１】
2010284230.tif 000003
【図２】
2010284230.tif 000004
【図３】
2010284230.tif 000005
【図４】
2010284230.tif 000006
【図５】
2010284230.tif 000007
【図６】
2010284230.tif 000008
【図７】
2010284230.tif 000009
【図８】
2010284230.tif 000010
【図９】
2010284230.tif 000011
【図１０】
2010284230.tif 000012
【図１１】
2010284230.tif 000013
【図１２】
2010284230.tif 000014
【図１３】
2010284230.tif 000015
【図１４】
2010284230.tif 000016
【図１５】
2010284230.tif 000017
【図１６】
2010284230.tif 000018
【図１７】
2010284230.tif 000019
【図１８】
2010284230.tif 000020
【図１９】
2010284230.tif 000021
【図２０】
2010284230.tif 000022
【図２１】
2010284230.tif 000023
【図２２】
2010284230.tif 000024
【図２３】
2010284230.tif 000025
【図２４】
2010284230.tif 000026
【図２５】
2010284230.tif 000027
【図２６】
2010284230.tif 000028
【図２７】
2010284230.tif 000029
【図２８】
2010284230.tif 000030
【図２９】
2010284230.tif 000031
【図３０】
2010284230.tif 000032
【図３１】
2010284230.tif 000033
【図３２】
2010284230.tif 000034
【図３３】
2010284230.tif 000035
【図３４】
2010284230.tif 000036
【図３５】
2010284230.tif 000037